(57)【要約】【課題】色調の変化を伴わずにローカルディミングを適切に実現すると共に、出射光の光強度ムラを低減し得る表示装置及びテレビジョン受像機を提供する。【解決手段】液晶表示装置（１Ａ）のバックライト（２０Ａ）は、液晶表示パネル（１０）の広さに対応する１枚の導光板（２２）の側端面（２２ａ）から白色光を入射して導光板（２２）の光出射面（２２ｂ）から出射させる複数のエッジ型ＬＥＤ（２３）と、導光板（２２）の背面から白色光を入射して導光板（２２）の光出射面（２２ｂ）から出射させる複数の直下型ＬＥＤ（２５）とを備えている。導光板（２２）は、等厚部（２２ｃ）と、等厚部（２２ｃ）に形成されたレンチキュラー部（２２ｅ）とからなっている。【選択図】図１
2018036334.tif 000002
【特許請求の範囲】
【請求項１】
バックライトにて表示パネルを照射する表示装置において、
上記バックライトは、上記表示パネルの広さに対応する１枚の導光板の側端面から白色光を入射して上記導光板の出射面から出射させる複数の第１発光部と、上記導光板の背面から光を入射して上記導光板の出射面から出射させる複数の第２発光部とを備えていると共に、
上記導光板は、等厚部と、上記等厚部に形成されたレンチキュラー部とからなっていることを特徴とする表示装置。
【請求項２】
前記レンチキュラー部は、前記導光板の等厚部の表面において、断面半円、断面半多角形又は断面半楕円からなる柱状物体を連続して横並べに配設してなっていることを特徴とする請求項１に記載の表示装置。
【請求項３】
前記表示パネルに表示される映像の輝度に応じて、前記第１発光部及び第２発光部の照射光量を制御する制御部が設けられていることを特徴とする請求項１又は２に記載の表示装置。
【請求項４】
前記第１発光部は、前記第２発光部よりも色域の広い光を発光すると共に、
上記第２発光部は、上記第１発光部よりも視感度の高い光を発光することを特徴とする請求項１、２又は３に記載の表示装置。
【請求項５】
前記制御部は、表示パネルに表示される映像の相対的に明るい部分と相対的に暗い部分との両方がそれぞれ明瞭となるように前記第１発光部及び第２発光部の照射光量を制御することを特徴とする請求項３に記載の表示装置。
【請求項６】
前記制御部は、
前記表示パネルを第１輝度よりも低い低輝度で照射させるべく複数の第１発光部のみを発光させる低輝度モードと、上記表示パネルを第１輝度よりも高い高輝度で照射させるべく複数の第１発光部及び複数の第２発光部を発光させる高輝度モードとを選択する輝度レベル制御部を備えていることを特徴とする請求項３に記載の表示装置。
【請求項７】
前記導光板の側端面の分割領域にそれぞれ配置されて互いに直列に接続される第１発光部であるＬＥＤチップの個数と、
上記導光板の出射面をマトリクス状に分割した分割領域の背面側にそれぞれ配置されて互いに直列に接続される第２発光部であるＬＥＤチップの個数とは同じであることを特徴とする請求項１〜６のいずれか１項に記載の表示装置。
【請求項８】
請求項１〜７のいずれか１項に記載の表示装置を備えたテレビジョン受像機であって、
外部から受信された入力映像に応じて、第１発光部及び第２発光部の照射光量を制御することを特徴とするテレビジョン受像機。
【発明の詳細な説明】
【技術分野】
【０００１】
本発明は、バックライトにて表示パネルを照射する表示装置及びテレビジョン受像機に関するものである。
【背景技術】
【０００２】
液晶表示装置においては、表示パネルを照射するバックライトが使用されている。このバックライトは、その構造から直下方式とエッジライト方式の二つに分類される。
【０００３】
直下方式は、液晶表示装置の発売当初から広く使われてきた方式であり、光源を液晶表示パネルの下面に並べ、光源の分布が見えないように、拡散板を用いて面光源をつくる方式である。直下方式は、構造が簡単で光源を配置し易い、及び光源の熱分布が偏らない等のメリットがある反面、光源の数を少なくすると輝度差が目立つので、バックライトが厚くなるという問題がある。
【０００４】
エッジライト方式は、液晶テレビの薄型化にも寄与している方式であり、導光板を用いてその導光板の端に光源を配置して面光源をつくる方式である。エッジライト方式は、直下方式に比べると、構造が多少複雑で部材が多く、かつ端部にＬＥＤを集積過ぎると該端部が高温になり過ぎるという点と、表示パネルのスポット領域についてのローカルディミング（部分駆動）が困難という点との問題がある。
【０００５】
ここで、ローカルディミングとは、一画面内のコントラストを高めると同時に、表示パネルの全体の表示に対して消費電力を抑える技術である。
【０００６】
エッジライト方式のバックライトにおいてローカルディミングを行うものとして、例えば特許文献１に開示されたバックライトが知られている。
【０００７】
特許文献１に開示されたバックライトは、液晶表示パネルの下側に、光出射面をそれぞれ有する複数の導光板が互いに並置されて設けられている。これら導光板ユニットは、液晶表示パネルの縦方向の中央領域になる程、厚さが厚くなっている。そして、各導光板ユニットの側端面に、ＬＥＤがそれぞれ配置されている。
【０００８】
すなわち、一般のエッジライト方式のバックライトは、各導光板ユニットが液晶表示パネルの一端から他端まで例えば縦方向に延びて設けられ、かつ例えば各導光板ユニットの例えば一端にのみＬＥＤを配置するものであり、縦方向の途中の輝度を高めることはできなかった。
【０００９】
これに対して、特許文献１に開示されたバックライトでは、液晶表示パネルの縦方向において、各導光板ユニットの厚さを異ならせ、それぞれの側端面にＬＥＤを配置している。
【００１０】
これによって、エッジライト方式のバックライトにおいて縦方向の途中の各領域においても直下方式が可能となる構造を採用したローカルディミングを実現するものとなっている。
【００１１】
一方、導光板の厚さを変えることなく、エッジライト方式と直下方式とを併用した、例えば特許文献２に開示されたバックライトが知られている。
【００１２】
特許文献２に開示されたバックライトは、出射面から光を出射して面光源とする導光板と、この導光板の一方の側端面に赤色光を入射させる第１の発光体と、この導光板の他方の側端面に青色光を入射させる第２の発光体と、この導光板の背面から緑色光を照射する第３の発光体とを備え、異なる色の光を混色して白色光を形成するものとなっている。
【先行技術文献】
【特許文献】
【００１３】
【特許文献１】特開２０１０−０９７９０９号公報（２０１０年４月３０日公開）
【特許文献２】特開２００９−１９９８２２号公報（２００９年９月３日公開）
【発明の概要】
【発明が解決しようとする課題】
【００１４】
しかしながら、上記従来のローカルディミングを採用するバックライトでは、以下の問題点を有している。
【００１５】
まず、特許文献１に開示されたバックライトでは、各導光板ユニット間に繋ぎ目が存在し、その繋ぎ目部分にムラが出ると共に、直下型ＬＥＤの点灯光がスポット的に強調され過ぎて光強度ムラが出る。このため、拡散板の使用が欠かせない。
【００１６】
また、特許文献２に開示されたバックライトでは、第１の発光体と第２の発光体と第３の発光体とから出射されたそれぞれ異なる色である赤・緑・青の光を混色して白色光を形成するものとなっている。このため、全ての第１の発光体と第２の発光体と第３の発光体とを常時点灯しなければ白色光を得ることができないので、消費電力が増大する。また、エッジライトとして赤・青を設けているので、表示パネルの所望のスポット領域の輝度を目的の色調にて増大できたとしても、表示パネルの他の領域については色調が変化してしまう。
【００１７】
本発明は、上記従来の問題点に鑑みなされたものであって、その目的は、色調の変化を伴わずにローカルディミングを適切に実現すると共に、出射光の光強度ムラを低減し得る表示装置及びテレビジョン受像機を提供することにある。
【課題を解決するための手段】
【００１８】
本発明の一態様における表示装置は、上記の課題を解決するために、バックライトにて表示パネルを照射する表示装置において、上記バックライトは、上記表示パネルの広さに対応する１枚の導光板の側端面から白色光を入射して上記導光板の出射面から出射させる複数の第１発光部と、上記導光板の背面から光を入射して上記導光板の出射面から出射させる複数の第２発光部とを備えていると共に、上記導光板は、等厚部と、上記等厚部に形成されたレンチキュラー部とからなっていることを特徴としている。
【００１９】
本発明の一態様におけるテレビジョン受像機は、上記の課題を解決するために、上記記載の表示装置を備えたテレビジョン受像機であって、外部から受信された入力映像に応じて、第１発光部及び第２発光部の照射光量を制御することを特徴としている。
【発明の効果】
【００２０】
本発明の一態様によれば、色調の変化を伴わずにローカルディミングを適切に実現すると共に、出射光の光強度ムラを低減し得る表示装置及びテレビジョン受像機を提供するという効果を奏する。
【図面の簡単な説明】
【００２１】
【図１】（ａ）は本発明の実施形態１における表示装置の構成を示す断面図であり、（ｂ）は上記表示装置の導光板の構成を示す斜視図である。
【図２】上記表示装置を備えたテレビジョン受像機の構成を示す正面図である。
【図３】上記表示装置の導光板におけるエッジ型ＬＥＤから入射された光の導光状態を示す断面図である。
【図４】上記導光板における光路変換部材の配設状態を示す平面図である。
【図５】上記導光板における直下型ＬＥＤの透過光路を示す断面図である。
【図６】上記導光板におけるエッジ型ＬＥＤの透過光路を示す平面図である。
【図７】（ａ）はレンチキュラー部を有する導光板の光の出射状況を示す平面図であり、（ｂ）はレンチキュラー部を有しない導光板の光の出射状況を示す平面図である。
【図８】（ａ）（ｂ）（ｃ）はレンチキュラー部における変形例の形状を示す断面図である。
【図９】上記導光板におけるレンチキュラー部の変形例を示す平面図である。
【図１０】本発明の実施形態２における表示装置の構成を示す断面図である。
【図１１】視感度特性を示すチャートである。
【図１２】色域特性を示すチャートである。
【図１３】上記表示装置に使用されるエッジ型ＬＥＤ及び直下型ＬＥＤの出射光の分光スペクトルを示すチャートである。
【図１４】上記表示装置の制御機構を示すブロック図である。
【図１５】上記表示装置の制御機構におけるコンテンツの内容を示すブロック図である。
【図１６】（ａ）（ｂ）（ｃ）（ｄ）は、上記表示装置の表示パネルに表示する映像が均一の輝度を有する場合の制御部におけるエッジ型ＬＥＤ及び直下型ＬＥＤの点灯光量の一例を示す図である。
【図１７】（ａ）（ｂ）（ｃ）（ｄ）は、上記表示装置の表示パネルに表示する映像の一部の領域が高輝度を有する場合の制御部におけるエッジ型ＬＥＤ及び直下型ＬＥＤの点灯光量の一例を示す図である。
【図１８】エッジ型ＬＥＤと直下型ＬＥＤとの電力の配分例を示すグラフである。
【図１９】上記表示装置によって表示された液晶表示パネルの映像を示す正面図である。
【図２０】（ａ）は本発明の実施形態３における表示装置の構成を示すものであって、エッジ型ＬＥＤの配線接続方法を示す側面図であり、（ｂ）は上記表示装置の構成を示すものであって、直下型ＬＥＤの配線接続方法を示す平面図である。
【図２１】従来の表示装置によって表示された液晶表示パネルの映像を示す正面図である。
【発明を実施するための形態】
【００２２】
〔実施の形態１〕
本発明の一実施形態について図１〜図９に基づいて説明すれば、以下のとおりである。
【００２３】
本実施の形態の液晶表示装置１Ａ、及び該液晶表示装置１Ａを備えたテレビジョン受像機２の構成について、図１の（ａ）（ｂ）〜図４に基づいて説明する。図１の（ａ）は、本実施の形態における表示装置としての液晶表示装置１Ａの構成を示す断面図である。図１の（ｂ）は、上記液晶表示装置１Ａの導光板２２の構成を示す斜視図である。図２は、液晶表示装置１Ａを備えたテレビジョン受像機の構成を示す正面図である。図３は、上記液晶表示装置１Ａの導光板２２におけるエッジ型ＬＥＤ２３から入射された光の導光状態を示す断面図である。図４は、上記導光板２２における光路変換部材２２ｄの配設状態を示す平面図である。
【００２４】
本実施の形態の表示装置としての液晶表示装置１Ａは、図２に示すように、例えば、テレビジョン受像機２に使用されている。しかし、本発明の液晶表示装置は、必ずしもテレビジョン受像機２に限らず、例えば、他のパーソナルコンピュータのモニタや、タブレット、スマートフォン等の画像表示装置に適用することができる。また、本実施の形態では、表示装置として液晶表示装置を例示して説明するが、表示装置は必ずしもこれに限らない。具体的には、表示装置として、例えば電気泳動型ディスプレイ、ツイストボール型ディスプレイ、微細なプリズムフィルムを用いた反射型ディスプレイ、デジタルミラーデバイス等の光変調素子を用いたディスプレイの他、発光素子として、有機ＥＬ発光素子、無機ＥＬ発光素子、ＬＥＤ（Light Emitting Diode）等の発光輝度が可変の素子を用いたディスプレイ、フィールドエミッションディスプレイ（ＦＥＤ）等にも利用することができる。
【００２５】
本実施の形態の液晶表示装置１Ａの構成について、図１の（ａ）（ｂ）、図３、図４に基づいて説明する。
【００２６】
本実施の形態の液晶表示装置１Ａは、図１の（ａ）に示すように、例えばＴＦＴアクティブマトリックス液晶表示装置からなっており、表示パネルとしての液晶表示パネル１０と、その下側に設けられたバックライト２０Ａとを備えている。
【００２７】
液晶表示パネル１０は、アクティブマトリックス方式の液晶表示パネルであって、ＴＦＴパネル１１と対向基板１２と保護基板１３とからなっている。上記ＴＦＴパネル１１と対向基板１２との間には、マトリックス状に液晶素子であるセルがマトリックス状に配置されている。
【００２８】
ＴＦＴパネル１１には、セル毎にスイッチング素子として機能する薄膜トランジスタ（ＴＦＴ：Thin Film Transistor）が設けられている。対向基板１２には、対向電極及びカラーフィルタ基板が積層されている。保護基板１３は、例えばガラス基板からなっており、対向基板１２を保護するものである。
【００２９】
次に、バックライト２０Ａは、背面筐体２１Ａの内部に横架して設けられた導光板２２と、導光板２２の一方の側端面２２ａに沿って並べて設けられた複数のエッジ型ＬＥＤ２３と、導光板２２の背面側に設けられたＬＥＤ基板２４に平面的に並べて設けられた直下型ＬＥＤ２５と、導光板２２の背面に接して設けられた拡散シート２６とからなっている。尚、本実施の形態では、直下型ＬＥＤ２５から出射される光を拡散するためのレンズは設けられていない。
【００３０】
上記背面筐体２１Ａは、本実施の形態では、直下型ＬＥＤ２５と導光板２２との距離が厚いものとなっている。この理由は、直下型ＬＥＤ２５を点灯したときに、導光板２２が一部だけ明るくなる、つまり導光板２２にて光源の分布が見えるのを防止するためである。
【００３１】
導光板２２は、液晶表示パネル１０の広さに対応する１枚の例えばアクリル樹脂からなっており、図３に示すように、エッジ型ＬＥＤ２３から発光されて導光板２２に入射した白色光を導光板２２の内部で全反射させて該入射された光を他方の側端部側に導光させる。そして、導光板２２の途中において背面側に設けられた光路変換部材２２ｄにて、全反射条件を破って導光板２２の表面である光出射面２２ｂから光を出射するようになっている。したがって、エッジ型ＬＥＤ２３から発光されて導光板２２に入射した光は、導光板２２の光出射面２２ｂの全体から出射される。
【００３２】
上記光路変換部材２２ｄは、導光板２２の背面に複数のドット形状に多数点在して形成されたプリズム状の凹部や、シルク印刷等の印刷により多数形成されたドットにてなっている。これにより、導光板２２を全反射しながら導光する光の全反射が破られるので、導光板２２を導光する光が光出射面２２ｂから出射されることになる。
【００３３】
ここで、光路変換部材２２ｄの点在密度は、エッジ型ＬＥＤ２３からの距離に応じて変化している。具体的には、図４に示すように、導光板２２におけるエッジ型ＬＥＤ２３からの距離が近い領域においては、光路変換部材２２ｄの点在密度は粗となっている一方、導光板２２におけるエッジ型ＬＥＤ２３からの距離が遠い領域においては、光路変換部材２２ｄの点在密度は密となっている。この理由は、導光板２２におけるエッジ型ＬＥＤ２３からの距離が遠い領域においては、導光板２２を導光する光の強度が減衰する。そこで、導光板２２におけるエッジ型ＬＥＤ２３からの距離が遠い領域においても出射される単位面積当たりの光量が導光板２２におけるエッジ型ＬＥＤ２３からの距離が近い領域の単位面積当たりの光量と等しくなるように、導光板２２におけるエッジ型ＬＥＤ２３からの距離が遠い領域においては、光路変換部材２２ｄの点在密度は密としている。
【００３４】
また、導光板２２は、直下型ＬＥＤ２５から発光されて導光板２２に入射した光を、該導光板２２を透過させて上記光出射面２２ｂから出射するようになっている。したがって、直下型ＬＥＤ２５から出射されて導光板２２に入射した光は、その直下型ＬＥＤ２５が存在する導光板２２の一部の領域において、導光板２２を透過して光出射面２２ｂからスポット的に出射される。
【００３５】
ここで、直下型ＬＥＤ２５から出射される光のスポットが強調され過ぎるのを防止するために、一般的には、直下型ＬＥＤ２５と導光板２２との間に、例えば乳白色のプラスチック板からなる拡散シートが設けられる。
【００３６】
しかしながら、本実施の形態では、導光板２２は、図１の（ｂ）に示すように、等厚部２２ｃと、この等厚部２２ｃの液晶表示パネル１０側に形成されたレンチキュラー部２２ｅとからなっている。この結果、レンチキュラー部２２ｅの存在により、拡散シートが存在しなくても直下型ＬＥＤ２５から出射される光のスポットが強調され過ぎるのを防止することができるものとなっている。尚、本実施の形態では、基本的には導光板２２の下側に拡散シートが存在していないが、拡散シート等を設けることは可能である。
【００３７】
すなわち、レンチキュラー部２２ｅは、導光板２２の等厚部２２ｃの上面に細長い例えば三角錐の凸レンズが縦方向、つまりエッジ型ＬＥＤ２３からの光が入射される側端面２２ａからこの側端面２２ａの対向側端面に向かう方向とその稜線との方向が一致するように並べられたものからなっている。上記エッジ型ＬＥＤ２３及び直下型ＬＥＤ２５は、この稜線上に存在していることが好ましい。
【００３８】
尚、本実施の形態では、レンチキュラー部２２ｅは、導光板２２の等厚部２２ｃの上面つまり液晶表示パネル１０側に形成されているが、必ずしもこれに限らず、等厚部２２ｃの背面つまり直下型ＬＥＤ２５側に形成されていてもよい。
【００３９】
上記レンチキュラー部２２ｅを有する導光板２２の効果について、図５〜図７の（ａ）（ｂ）に基づいて説明する。図５は、上記導光板２２における直下型ＬＥＤ２５の透過光路を示す断面図である。図６は、上記導光板２２におけるエッジ型ＬＥＤ２３の透過光路を示す平面図である。図７の（ａ）は、レンチキュラー部２２ｅを有する導光板２２の光の出射状況を示す平面図である。図７の（ｂ）は、レンチキュラー部を有しない導光板の光の出射状況を示す平面図である。図８の（ａ）（ｂ）（ｃ）は、レンチキュラー部２２ｅにおける変形例の形状を示す断面図である。
【００４０】
すなわち、レンチキュラー部２２ｅを有する導光板２２においては、直下型ＬＥＤ２５から出射された光は、図５に示すように、導光板２２の等厚部２２ｃに入射する。
【００４１】
ここで、直下型ＬＥＤ２５から出射された光のうち導光板２２に対して垂直から外れた光は、図５に示すように、導光板２２の等厚部２２ｃに入射した後、レンチキュラー部２２ｅの光出射面２２ｂに到達する。このとき、レンチキュラー部２２ｅは断面形状が例えば三角形となっているので、レンチキュラー部２２ｅの光出射面２２ｂに到達した光は、光出射面２２ｂにて屈折され、横方向に広がるように出射される。
【００４２】
一方、直下型ＬＥＤ２５から出射された光のうち導光板２２に対して垂直に入射した光は、図５に示すように、レンチキュラー部２２ｅの光出射面２２ｂに到達する。このとき、レンチキュラー部２２ｅは断面形状が三角形となっているので、レンチキュラー部２２ｅの断面三角形の光出射面２２ｂに到達した光は、光出射面２２ｂにて内部で全反射され、断面三角形の対向面に到達し、さらに対向面にて内部で全反射され、やがて導光板２２の等厚部２２ｃにおける下側面に戻る。
【００４３】
この結果、直下型ＬＥＤ２５から導光板２２に垂直に入射した光は、導光板２２の光出射面２２ｂからそのまま抜けることはなく、導光板２２に垂直に入射しなかった光が、横に広がるように光出射面２２ｂから出射される。
【００４４】
したがって、直下型ＬＥＤ２５の直上において、導光板２２の光出射面２２ｂから出射される光がスポット的に強調され過ぎるのを防止することができるものとなる。それゆえ、レンチキュラー部２２ｅを有する導光板２２を設けることによって、導光板２２の下側に拡散板を設けなくても直下型ＬＥＤ２５から出射される光のスポットが強調され過ぎるのを防止することができる。このため、直下型ＬＥＤ２５による光のムラを防止することができる。
【００４５】
ここで、レンチキュラー部２２ｅを有する導光板２２は、直下型ＬＥＤ２５に対するものだけではなく、エッジ型ＬＥＤ２３についても、ローカルディミングの点で効果がある。
【００４６】
すなわち、エッジ型ＬＥＤ２３から導光板２２に入射した光は、図６に示すように、等厚部２２ｃに沿って、及びレンチキュラー部２２ｅにおいて断面三角形の面に沿って全反射しながら導光板２２の内部を導光される。このとき、前述したように、等厚部２２ｃの背面側に形成された光路変換部材２２ｄによって、光路が変更され、光出射面２２ｂから導光板２２の外側にでる。このとき、導光板２２の光出射面２２ｂは、レンチキュラー部２２ｅにより、例えば断面三角形になっているので、レンチキュラー部２２ｅが存在しない場合に比べて、出射方向が導光板２２に対して垂直方向に偏向される。
【００４７】
この結果、図７の（ｂ）に示すように、レンチキュラー部２２ｅが存在しない場合には、出射方向が横方向に広がるが、レンチキュラー部２２ｅが存在する場合には、出射方向は、横方向への広がりが小さいものとなる。
【００４８】
したがって、レンチキュラー部２２ｅを有する導光板２２においては、エッジ型ＬＥＤ２３に対しても光出射面２２ｂからの光の出射領域を調製することができ、エッジ型ＬＥＤ２３によってもローカルディミングを精度良く行うことが可能となる。
【００４９】
ここで、本実施の形態の導光板２２のレンチキュラー部２２ｅは断面三角形として説明していたが、具体的には、図８の（ａ）に示すように、稜線を挟む角度つまり頂角が６０度〜９０度の三角形であることが好ましい。これにより、直下型ＬＥＤ２５の直上の出射光の光量を抑制できるためである。
【００５０】
尚、レンチキュラー部２２ｅの断面形状は、必ずしも三角形に限らない。例えば、図８の（ｂ）に示すように、円弧状、蒲鉾状でもよく、又は図８の（ｃ）に示すように、多角形でもよい。これらにより、直下型ＬＥＤ２５の直上の出射光の光量を抑制できるためである。すなわち、レンチキュラー部２２ｅは、導光板２２の等厚部２２ｃの例えば表面において、断面半円、断面半多角形又は断面半楕円等からなる柱状物体を連続して横並べに配設してなっていればよい。尚、レンチキュラー部２２ｅの稜線の途中で、形状が例えば三角、円、多角形等に変化してもよい。すなわち、三角形の方が円よりもより反射（戻り）が多い場合に、直下型ＬＥＤ２５が並んでいる中央部分を三角とし、周辺部分を円とすることができる。これにより、直下型ＬＥＤ２５の直上の光の量を制限しつつ、周囲での光の量を増加させることができる。
【００５１】
また、レンチキュラー部２２ｅの稜線は、必ずしも導光板２２の側端面２２ａからこれに対向する他方の側端面まで連続して続いている必要はなく、例えば、図９に示すように、一部で途切れていてもよい。したがって、稜線がダンラムに存在してもよい。例えば、エッジ型ＬＥＤ２３が存在する側端面２２ａに対向する側端面についてはレンチキュラー部２２ｅがなくてもよい。さらに、エッジ型ＬＥＤ２３又は直下型ＬＥＤ２５の間隔よりもレンチキュラー部２２ｅの稜線の間隔が十分小さい場合には、各レンチキュラー部２２ｅの稜線毎の形状が変わっていてもよい。これにより、三角形で戻りが大きすぎる場合であっても半円型を混在させることによって、出射量を調節することができる。
【００５２】
このように、本実施の形態の液晶表示装置１Ａでは、バックライト２０Ａにて表示パネルとしての液晶表示パネル１０を照射する。そして、バックライト２０Ａは、液晶表示パネル１０の広さに対応する１枚の導光板２２と、エッジ型ＬＥＤ２３と直下型ＬＥＤ２５とを備えている。また、エッジ型ＬＥＤ２３は導光板２２の側端面２２ａから白色光を入射して導光板２２の光出射面２２ｂから出射させる一方、直下型ＬＥＤ２５は導光板２２の背面から光を入射して導光板２２の光出射面２２ｂから出射させる。
【００５３】
この結果、ローカルディミングを実現するに際して、導光板２２は液晶表示パネル１０の広さに対応する１枚からなっているので、導光板２２には継ぎ目がない。したがって、導光板２２の繋ぎ目部分のムラを防止することができる。さらに、エッジ型ＬＥＤ２３は白色光を導光板２２に入射させるので、領域によって色調が大きく変化するということはない。
【００５４】
また、本実施の形態では、導光板２２は、等厚部２２ｃと、上記等厚部２２ｃに形成されたレンチキュラー部２２ｅとからなっている。尚、レンチキュラーは、光を拡散させる拡散板として使用されることがあるが、本実施の形態のレンチキュラー部２２ｅは光路変換部材２２ｄを有する導光板２２の表面に直接形成されている点で、光路変換部材２２ｄが存在しない従来のレンチキュラーとは異なっている。
【００５５】
この結果、直下型ＬＥＤ２５から導光板２２に入射した光は、レンチキュラー部２２ｅによる光の反射及び屈折により、直下型ＬＥＤ２５の直上に出射される光が減少し、かつ横方向に広がって出射される光が多くなる。このため、直下型ＬＥＤ２５の直上において導光板２２からの出射光による光強度ムラを低減することができる。これにより、直下型ＬＥＤ２５による点灯制御幅が広がる。
【００５６】
また、エッジ型ＬＥＤ２３から導光板２２に入射した光は、導光板２２内における光の全反射及び光路変換部材２２ｄによる光路変更と、レンチキュラー部２２ｅによる光の屈折とにより、横方向への広がりが小さくなる。このため、エッジ型ＬＥＤ２３によってもローカルディミングを実現すること可能となる。この結果、エッジ型ＬＥＤ２３と直下型ＬＥＤ２５との協働により、最適なローカルディミングを実現することができる。
【００５７】
したがって、色調の変化を伴わずにローカルディミングを適切に実現すると共に、出射光の光強度ムラを低減し得る液晶表示装置１Ａを提供することができる。
【００５８】
また、本実施の形態における液晶表示装置１Ａでは、レンチキュラー部２２ｅは、導光板２２の等厚部２２ｃの表面において、断面半円、断面半多角形又は断面半楕円からなる柱状物体を連続して横並べに配設してなっている。
【００５９】
これにより、直下型ＬＥＤ２５から導光板２２に垂直に入射した光は、断面半円、断面半多角形又は断面半楕円のレンチキュラー部２２ｅによる光の内部反射によって、光出射面２２ｂからあまり出射されない。また、直下型ＬＥＤ２５から導光板２２に斜めに入射した光は、断面半円、断面半多角形又は断面半楕円のレンチキュラー部２２ｅによる光の屈折によって、光出射面２２ｂから横方向に広がるように出射される。この結果、直下型ＬＥＤ２５の直上において導光板２２から出射される出射光による光強度ムラを低減することができる。
【００６０】
また、エッジ型ＬＥＤ２３から導光板２２に入射した光は、導光板２２内での光の全反射及び光路変換部材２２ｄによる光路変更と、断面半円、断面半多角形又は断面半楕円のレンチキュラー部２２ｅによるに光の屈折とにより、横方向への広がりが小さくなる。このため、エッジ型ＬＥＤ２３によってもローカルディミングを実現すること可能となる。
【００６１】
また、本実施の形態では、バックライト２０Ａは、エッジ型ＬＥＤ２３と直下型ＬＥＤ２５とを備えており、光源を分散させている。このため、例えば、エッジ型ＬＥＤ２３のみで光量を増大させようとすると、導光板２２の側端面２２ａに配置されるエッジ型ＬＥＤ２３の個数が多くなり、発熱量が多くなる。その結果、液晶表示装置１Ａの端部の温度が高くなり過ぎ、安全上の問題が生じる。しかし、本実施の形態では、この問題を回避することができる。
【００６２】
また、本実施の形態のテレビジョン受像機２は、本実施の形態の表示装置としての液晶表示装置１Ａを備え、外部から受信された入力映像に応じて、エッジ型ＬＥＤ２３及び直下型ＬＥＤ２５の照射光量を制御する。
【００６３】
したがって、導光板２２の繋ぎ目部分のムラを防止すると共に、適正にローカルディミングを実現し得る液晶表示装置１Ａを備えたテレビジョン受像機２を提供することができる。
【００６４】
〔実施の形態２〕
本発明の他の実施の形態について図１０〜図１４に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６５】
本実施の形態の示装置としての液晶表示装置１Ｂは、前記実施の形態１の液晶表示装置１Ａの構成に加えて、背面筐体２１Ｂが液晶表示装置１Ｂに設けられており、これによって、背面筐体２１Ａに比べて厚さが薄くなっている点と、エッジ型ＬＥＤ２３として視感度の高い光源が用いられる一方、直下型ＬＥＤ２５が色域の広い光源が用いられている点とが異なっている。
【００６６】
本実施の形態の液晶表示装置１Ｂの構成について、図１０に基づいて説明する。図１０は、本実施の形態における液晶表示装置１Ｂの構成を示す断面図である。
【００６７】
本実施の形態の液晶表示装置１Ｂは、図１０に示すように、バックライト２０Ｂにおける背面筐体２１Ｂの厚さが、前記実施の形態１の液晶表示装置１Ａのバックライト２０Ａにおける背面筐体２１Ａに比べて薄くなっている。すなわち、本実施の形態では、直下型ＬＥＤ２５の上側には、拡散レンズ等の２次レンズは設けられていない。これにより、背面筐体２１Ｂの厚さを薄くすることができ、液晶表示装置１Ｂの薄型化を図ることができるようになっている。
【００６８】
また、本実施の形態の液晶表示装置１Ｂでは、エッジ型ＬＥＤ２３として視感度の高い光源が用いられていると共に、直下型ＬＥＤ２５が色域の広い光源が用いられている。尚、視感度の高い光源と色域の広い光源とは互いに相反する概念であり、視感度の高い光源を得ようとすると色域の狭い光源となり、色域の広い光源を得ようとすると視感度の低い光源となる。
【００６９】
ここで、視感度、色域並びに本実施の形態のエッジ型ＬＥＤ２３及び直下型ＬＥＤ２５の出射光の分光スペクトルについて図１１、図１２及び図１３に基づいて説明する。図１１は、視感度特性を示すチャートである。図１２は、色域特性を示すチャートである。図１３は、本実施の形態の液晶表示装置１Ｂに使用されるエッジ型ＬＥＤ２３及び直下型ＬＥＤ２５の出射光の分光スペクトルを示すチャートである。
【００７０】
まず、視感度とは、人間の目の光の波長に対する感度をいう。具体的には、可視域内である波長３８０ｎｍ〜７８０ｎｍの光でも人間の目には波長によって感ずる度合が異なる。例えば、７００ｎｍ近傍や４００ｎｍ近傍の波長の光では相当強いエネルギーでも明るいとは感じないが、５５０ｎｍ位の光では少しのエネルギーであっても明るいと感ずる。そこで、光に対する視覚について分光感度を考えることが必要となるが、その分光感度を視感度という。詳細には、図１１に示すように、視感度は、５５０ｎｍで最も高い６８３ｌｍ／Ｗとなるピークを有する略ガウス分布となっている。
【００７１】
したがって、本実施の形態では、直下型ＬＥＤ２５として、視感度が高い波長の光を出射するようになっている。具体的には、直下型ＬＥＤ２５の出射光の分光スペクトルは、図１３において実線で示すように、波長５５０ｎｍ近傍において、なだらかなピークを有する曲線を有している。このため、直下型ＬＥＤ２５を点灯することによって、液晶表示パネル１０において、直下型ＬＥＤ２５が点灯された領域の光が増加し、人間の目には、明るく感じられる。したがって、効率よく、所望の領域を明るくすることができる。
【００７２】
ここで、図１３において実線で示す分光スペクトルを得るために、本実施の形態の直下型ＬＥＤ２５は、例えば、波長４５０ｎｍに発光ピークを有する青色光を出射する図示しない例えばＧａＮからなる青色半導体素子と、波長５５０ｎｍに発光ピークを有する黄色光を出射する例えばＹＡＧからなる黄色蛍光体を含む樹脂とで構成されたＬＥＤ光源となっている。この蛍光体は、青色半導体素子から出射された波長４５０ｎｍに発光ピークを有する青色光を吸収することによって、波長５５０ｎｍに発光ピークを有する黄色蛍光を発するようになっている。したがって、直下型ＬＥＤ２５からは、波長４５０ｎｍに発光ピークを有する青色光と、波長５５０ｎｍに発光ピークを有する黄色とが出射されるようになっている。
【００７３】
次に、色域について説明する。
【００７４】
まず、色域とは、人間の目で認識可能な色の範囲（可視領域）の中で、さらに特定の色の範囲を定めたものである。カメラ、ディスプレイ及びプリンタ等、カラーイメージング機器には種々なものがあるが、再現できる色の範囲は全て異なるため、それらを明らかにするために、色域が決められている。
【００７５】
色域を分かり易く表現（図示）する手法にはいくつかあるが、ディスプレイ製品ではＣＩＥ（国際照明委員会）が定めたＸＹＺ表色系のｘｙ色度図が使われることが多い。ｘｙ色度図は可視領域の色を数値に置き換え、色座標としてグラフ化したものである。具体的には、図１２に示すｘｙ色度図においては、点線で囲まれた逆Ｕ字型の部分が、人間が肉眼で認識可能とされる色の範囲を指す。
【００７６】
色域にはいろいろな規格があり、テレビジョン関連では、ＢＴ.７０９及びＢＴ.２０２０の規格が知られている。各規格で定義された色域は、ｘｙ色度図上の三角形で示される。Ｒ（赤）・Ｇ（緑）・Ｂ（青）の頂点座標を定め、それを直線で結んだ三角形である。三角形の面積が大きい程、多くの色を表現できる規格である。液晶表示装置の場合には、大きな三角形を描く色域に対応した製品程、画面上で再現できる色の範囲が広いということになる。
【００７７】
したがって、本実施の形態のエッジ型ＬＥＤ２３は、色域の広い光を出射するようになっている。これにより、常時、エッジ型ＬＥＤ２３を点灯しておくことによって、所望のＲ（赤）・Ｇ（緑）・Ｂ（青）の光を適切に再現できることができる。
【００７８】
具体的には、エッジ型ＬＥＤ２３の出射光の分光スペクトルは、図１３において破線で示すように、青色光である波長４５０ｎｍ近傍と、緑色光である波長５３０ｎｍ近傍と、赤色光である波長６３０ｎｍ近傍とに発光ピークを有する発光波長の光を出射するものとなっている。これにより、Ｂ（青）・Ｇ（緑）・Ｒ（赤）の各領域に発光ピークを有しているので、エッジ型ＬＥＤ２３は、色域が広い光を出射できるものとなっている。
【００７９】
ここで、本実施の形態のエッジ型ＬＥＤ２３は、図１３において破線で示す分光スペクトルを得るために、例えば、波長４５０ｎｍに発光ピークを有する青色光を出射する図示しない例えばＧａＮからなる青色半導体素子と、波長５３０ｎｍに発光ピークを有する緑色光を出射する例えばｎｉｔｒｉｄｅからなる緑色蛍光体及び、波長６３０ｎｍに発光ピークを有する赤色光を出射する例えばＫＮＳ      等の赤色蛍光体を含む樹脂とで構成されたＬＥＤ光源となっている。これらの蛍光体は、青色半導体素子から出射された波長４５０ｎｍに発光ピークを有する青色光を吸収することによって、波長５３０ｎｍに発光ピークを有する緑色の蛍光と、波長６３０ｎｍに発光ピークを有する赤色の蛍光とを発するようになっている。したがって、エッジ型ＬＥＤ２３からは、波長４５０ｎｍに発光ピークを有する青色光と、波長５３０ｎｍに発光ピークを有する緑色光と、波長６３０ｎｍに発光ピークを有する赤色光とが出射されるようになっている。
【００８０】
尚、上記の直下型ＬＥＤ２５及びエッジ型ＬＥＤ２３では、蛍光体を用いたＬＥＤ光源について説明した。しかし、本発明においては、必ずしもこれに限らず、各波長のそれぞれ単独の半導体素子で出射するＬＥＤ光源を使用することも可能である。また、青色半導体に替えて紫外半導体を使用することも可能である。さらに、レーザーや、青色半導体と量子ドットとを用いた光源を使用することも可能である。
【００８１】
ところで、一般に、液晶表示装置では、表示パネルに映像を表示するときに、液晶の裏側にあるバックライトの光を透過させるため、光漏れが生じて黒が浮いてしまう、つまり完全に黒を表示することができないということが大きなデメリットとなっている。
【００８２】
そこで、この問題を解決するために実現したのがＬＥＤバックライトの部分駆動（ローカルディミング）である。バックライトを複数のブロックに分割し、映像の明るい部分のバックライトは明るく、映像の暗い部分のバックライトは暗くすることによって、映像全体のコントラストを上げるという方法を採用している。
【００８３】
例えば、従来の特許文献１に開示されたバックライトでは、エッジライト方式のバックライトにおいて縦方向の各領域においても直下方式が可能となる構造を採用し、ローカルディミングを可能とするものとなっている。
【００８４】
しかしながら、従来の特許文献１に開示されたバックライトでは、導光板を分割しているので、導光板の繋ぎ目が部分に光のムラがでるという問題を有している。
【００８５】
また、例えば、表示パネルで映像を表示する場合や写真では、露出が一つであるので、例えば、図２１に示すように、部屋の内部の状態を表示する映像においては、窓の部分には、太陽照射により飛び抜けて明るい部分が白く飛び、暗部は黒く潰れることがある。図２１では、真ん中の人物の顔が黒くなって、はっきりとは認識できない。そこで、写真の分野では、窓の部分に明るい場所があっても露出を変えつつ複数枚の写真を撮影し、それらを合成することによって白飛びや黒潰れの少ない幅広いダイナミックレンジを持つ画像（ハイダイナミックレンジイメージ：Hhigh Dynamic Range imaging;ＨＤＲ）を生成する技術が開発されている。
【００８６】
したがって、テレビジョン受像機の分野においても、ハイダイナミックレンジイメージ（ＨＤＲ）によって、効率良く明るさを表示することが求められている。すなわち、明部と暗部との両方が存在する映像において、明部と暗部との両方を明瞭に表示することが求められている。しかし、従来、光量が小さいバックライトで暗い画像を明瞭に表示した場合には、明るい場所の光量が不十分であり、明るい場所を明瞭に表現することができなかった。逆に、光量が小さいバックライトで明るい画像を明瞭に表示した場合には、暗い場所を明瞭に表現することができなかった。
【００８７】
そこで、本実施の形態の液晶表示装置１Ｂでは、導光板２２を一枚のパネルにて構成することにより、継ぎ目の問題を無くすと共に、基本的には、バックライト２０Ａに対して、エッジ型ＬＥＤ２３を点灯して導光板２２の光出射面２２ｂから光を出射させると共に、液晶表示パネル１０の一部の領域に輝度の大きい部分がある場合には、直下型ＬＥＤ２５を点灯させる制御を、テレビジョン受像機２の全体の制御機構３０における制御部としてのローカルディミング制御部にて行っている。
【００８８】
本実施の形態の制御機構３０の構成について図１４に基づいて説明する。図１４は、本実施の形態の液晶表示装置１Ｂの制御機構３０の構成を示すブロック図である。
【００８９】
本実施の形態の制御機構３０は、図１４に示すように、テレビジョン受像機２の全体の制御を行うものであり、テレビジョン受像機２には、例えば放送局等の映像信号発生部３１から映像を受信して、液晶表示装置１Ｂの液晶表示パネル１０に映像を表示するための制御を行うテレビ制御部３２が設けられている。映像を受信したテレビ制御部３２は、液晶表示装置１Ｂの映像表示タイミングコントローラ３３に映像を出力する。
【００９０】
次に、液晶表示装置１Ｂには、映像表示タイミングコントローラ３３及び制御部としてのローカルディミング制御部３４が設けられている。
【００９１】
映像表示タイミングコントローラ３３は、テレビ制御部３２から受信した映像信号に基づいて、階調処理を施し、液晶表示パネル１０に映像を表示させる。
【００９２】
一方、ローカルディミング制御部３４は、映像表示タイミングコントローラ３３からの映像信号に基づいて、液晶表示パネル１０に映像を表示させるときの該映像表示タイミングコントローラ３３の一部の領域の輝度を検出して、バックライト２０Ｂにローカルディミング制御を行うための制御信号をＬＥＤドライバ３５に出力する。ＬＥＤドライバ３５はその指示に基づいてエッジ型ＬＥＤ２３及び直下型ＬＥＤ２５を点灯させる。
【００９３】
上述した制御機構３０の制御動作により、本実施の形態の液晶表示装置１Ｂは、ローカルディミング制御及びハイダイナミックレンジイメージ（ＨＤＲ）を行うことができる。
【００９４】
例えば、テレビジョン受像機２にて受信される映像のコンテンツとしては、図１５に示すように、映画、スポーツ、バラエティ及びニュースがある。これらは、例えば放送局等の映像信号発生部３１から送信される映像の付帯情報として、該映像と一緒に送信される。このため、その付帯情報を入手することにより、コンテンツ毎にローカルディミング制御及びハイダイナミックレンジイメージ（ＨＤＲ）を行うことができる。
【００９５】
具体的には、コンテンツが映画である場合には、色重視の映像ではエッジ型ＬＥＤ２３を多用する一方、アクションシーンの映像では直下型ＬＥＤ２５を多用する。また、コンテンツがスポーツである場合には、屋外スポーツの映像では、高輝度による臨場感が重要となるので、直下型ＬＥＤ２５を多用する。さらに、コンテンツがバラエティ及びニュースである場合には、見易い映像を優先するため、エッジ型ＬＥＤ２３を多用する。
【００９６】
尚、コンテンツの分類には、例えば、ソース機器に基づくものとしてパーソナルコンピュータ画面の表示を行う場合が考えられる。この場合には、情報表示が主となるので、エッジ型ＬＥＤ２３のみを使用することが好ましい。
【００９７】
尚、本実施の形態の液晶表示装置１Ｂでは、ローカルディミング制御部３４は液晶表示装置１Ｂの内部に設けられている。しかし、ローカルディミング制御部３４は、必ずしも液晶表示装置１Ｂの内部に限らず、液晶表示装置１Ｂの外部かつテレビジョン受像機２の内部に設けられていてもよい。
【００９８】
また、本実施の形態のローカルディミング制御部３４には、輝度レベル制御部３４ａが設けられている。
【００９９】
すなわち、本実施の形態の液晶表示装置１Ｂでは、高輝度表示が可能な直下型ＬＥＤ２５と、広演色が可能なエッジ型ＬＥＤ２３との両方を併せ持っている。そして、ユーザは、視聴シーンによっては、省電力で視聴したいときもあるし、高輝度での迫力を楽しみたい場合もある。そこで、省電力で視聴したい場合は、エッジ型ＬＥＤ２３を用いる一方、高輝度での迫力を楽しみたい場合はエッジ型ＬＥＤ２３と直下型ＬＥＤ２５との両方を使用可能となっていることが好ましい。
【０１００】
そこで、本実施の形態の液晶表示装置１Ｂでは、液晶表示パネル１０を第１輝度よりも低い低輝度で照射させるべく複数のエッジ型ＬＥＤ２３のみを発光させる低輝度モードと、液晶表示パネル１０を第１輝度よりも高い高輝度で照射させるべく複数のエッジ型ＬＥＤ２３と複数の直下型ＬＥＤ２５とを発光させる高輝度モードとを選択可能となっている。ここで、液晶表示装置１Ｂは、上記２つのモードの何れかを選択する選択操作を受け付けるためのＧＵＩ（グラフィカルユーザインターフェース）を表示する構成とするとよい。この場合、モードの選択は、当該選択操作を参照してローカルディミング制御部３４の輝度レベル制御部３４ａが行うようになっている。また、上記第１輝度は、適宜、所望の値を設定することが可能である。
【０１０１】
これにより、ユーザは、随時、低輝度モードと高輝度モードとを切り替えることによって、好みの輝度を楽しむことができる。
【０１０２】
ここで、本実施の形態では、低輝度モードと高輝度モードとの切り替えは、二者択一ではなくてもよい。例えば、スライダ等を有するＧＵＩを表示し、ユーザから所望の輝度レベルを受け付ける構成としてもよい。そして、受け付けたユーザ所望の輝度レベルに応じて、直下型ＬＥＤ２５の発光光量のレベルを変える構成としてもよい。これにより、ユーザの細かな要求に応えることが可能となる。
【０１０３】
次に、上記構成のローカルディミング制御部３４でのローカルディミング制御として、ハイダイナミックレンジイメージ（ＨＤＲ）を実現する制御の一例について、図１６の（ａ）（ｂ）（ｃ）（ｄ）及び図１７の（ａ）（ｂ）（ｃ）（ｄ）に基づいて説明する。図１６の（ａ）（ｂ）（ｃ）（ｄ）は、液晶表示装置１Ｂに表示する映像が均一の輝度を有する場合のローカルディミング制御部３４におけるエッジ型ＬＥＤ２３及び直下型ＬＥＤ２５の点灯光量の一例を示す図である。図１７の（ａ）（ｂ）（ｃ）（ｄ）は、液晶表示装置１Ｂの液晶表示パネル１０に表示する映像の一部の領域が高輝度を有する場合のローカルディミング制御部３４におけるエッジ型ＬＥＤ２３及び直下型ＬＥＤ２５の点灯光量の一例を示す図である。尚、図１６の（ａ）（ｂ）（ｃ）（ｄ）及び図１７の（ａ）（ｂ）（ｃ）（ｄ）においては、液晶表示パネル１０の領域を簡素化し、各領域がエリアＡ（ｍ，ｎ）にて構成される横ｍ＝６、縦ｎ＝１０のマトリクスからなっているとして説明する。この場合、例えばエリアＡ（１，１）等の１個のエリアには、複数個の直下型ＬＥＤ２５が配されており、エリアＡ（１，ｎ）等の縦１列分として複数のエッジ型ＬＥＤ２３が配されているとして説明する。ただし、必ずしも複数に限らず、単数個でもよい。
【０１０４】
また、図１６の（ａ）及び図１７の（ａ）は、例えば、入力映像信号が階調０（黒）から階調２５５（白）となっている場合に、その輝度を０％〜１００％に対応させた入力映像信号比に対応している。図１６の（ｂ）及び図１７の（ｂ）は、導光板２２の側端面２２ａに沿って設けられた各エッジ型ＬＥＤ２３を点灯することによって示される液晶表示パネル１０の輝度を０％〜１００％で示したものである。尚、図１６の（ｂ）及び図１７の（ｂ）においては、液晶表示パネル１０の下側の側端面に各エッジ型ＬＥＤ２３が設けられていると共に、各エッジ型ＬＥＤ２３を点灯した場合には、その縦列について同じ輝度が得られることを示している。図１６の（ｃ）及び図１７の（ｃ）は、導光板２２の背面に設けられたＬＥＤ基板２４に搭載された複数の直下型ＬＥＤ２５を点灯することによって示される液晶表示パネル１０の輝度を０％〜１００％で示したものである。図１６の（ｄ）及び図１７の（ｄ）は、図１６の（ｂ）及び図１７の（ｂ）に示すエッジ型ＬＥＤ２３の直下型ＬＥＤ２５の点灯と、図１６の（ｃ）及び図１７の（ｃ）に示す直下型ＬＥＤ２５の点灯とを合計した場合に示される液晶表示パネル１０の輝度を０％〜１００％で示したものである。
【０１０５】
まず、例えば、図１６の（ａ）に示すように、入力映像信号比が全て１０％（つまり階調２６）の入力映像信号が映像表示タイミングコントローラ３３からローカルディミング制御部３４及び液晶表示パネル１０に入力されたとする。
【０１０６】
輝度レベル制御部３４ａは、予め設定されたゲインを、上述の入力映像信号比に乗ずることによって各エリアＡに対するエッジ型ＬＥＤ２３の輝度を決定する。図１６の（ｂ）に示す例では、ゲインは８０％に設定されているので、図１６の（ｂ）に示すように、各縦列のエッジ型ＬＥＤ２３は、それぞれ輝度８％の光を照射する。尚、８％の光を照射するために、例えば、デューティ比等の点灯率を制御したり、電流値を制御したり、又は電圧値を制御したりすることが可能である。
【０１０７】
一方で、輝度レベル制御部３４ａは、予め設定された平均画像レベルの下限値を示すMin_APL_Limit（Aminとも表記する）、予め設定された平均画像レベルの上限値を示すMax_APL_Limit（Amaxとも表記する）、及び判定値DV以上となるエリアの割合を示す比率ｘを参照し、以下の（式１）によって、乗算係数APL_Lを算出する。
【０１０８】
APL_L = Amin/[-(1-Amin)/(1-Amax)*(1-x)+1]    （式１）
ここで、判定値DVは、所定の閾値Vthに上記入力映像信号比の最大値（MAX  Duty）を乗じることによって定められる。
【０１０９】
そして、輝度レベル制御部３４ａは、乗算係数APL_Lを、上記入力映像信号比の各値に乗ずることによって各エリアＡに対する直下型ＬＥＤ２５の輝度を決定する。
【０１１０】
尚、図１６の（ａ）〜（ｄ）には、
Vth＝４０％
MAX  Duty＝１０％
DV＝４％
ｘ＝１００％
Amin＝１０％
Amax＝８０％
の例が示されており、上記の値より、乗算係数APL_L＝１０％と求まる。したがって、図１６の（ｃ）の例では、各エリアＡに対する直下型ＬＥＤ２５の輝度が１％と決定される。
【０１１１】
以上のようにして、液晶表示パネル１０の各縦列のエリアＡ（ｍ＝１〜６，ｎ）において、図１６の（ｂ）に示すように、同じ輝度８％の光が出射される。一方、このとき、直下型ＬＥＤ２５では、図１６の（ｃ）に示すように、エリアＡ（ｍ＝１〜６，ｎ＝１〜１０）において、それぞれ輝度１％の光を照射する。
【０１１２】
その結果、エッジ型ＬＥＤ２３と直下型ＬＥＤ２５とを合計した輝度は、図１６（ｄ）に示すように、全てのエリアＡ（ｍ＝１〜６，ｎ＝１〜１０）において輝度５％で照射されるものとなる。尚、この合計値は、本実施の形態では、例えば、（エッジ型ＬＥＤ２３の輝度＋直下型ＬＥＤ２５の輝度）／２として求めている。
【０１１３】
このように、本実施の形態では、主として、エッジ型ＬＥＤ２３によって、液晶表示パネル１０を照射するようになっている。
【０１１４】
次に、この状態から、例えば、図１７の（ａ）に示すように、エリアＡ（ｍ＝４，ｎ＝４）の入力映像信号比が輝度５０％（つまり階調１２８）であり、その他はそのまま輝度１０％（つまり階調２６）の入力映像信号が映像表示タイミングコントローラ３３からローカルディミング制御部３４及び液晶表示パネル１０に入力されたとする。
【０１１５】
この場合、図１７の（ｂ）に示すように、エッジ型ＬＥＤ２３は、エリアＡ（４，ｎ）を明るくすべく、エリアＡ（４，ｎ）のエッジ型ＬＥＤ２３について、輝度４０％の光を照射する。このとき、他のエリアＡ（ｍ＝１〜３，５〜６、ｎ）では。先程と同じ輝度８％の光が出射される。
【０１１６】
一方、このとき、直下型ＬＥＤ２５では、図１７の（ｃ）に示すように、エリアＡ（ｍ＝４，ｎ＝４）を明るくすべく、輝度５０％の光を照射する。このとき、他のエリアＡ（ｍ＝１〜３，５〜６、ｎ）でも、暗い部分を明るくすべく例えば輝度１０％の光が出射される。尚、暗い部分を明るくすべく設定された輝度１０％は、実際の表示に基づき、適宜、適切な値に設定することが可能である。
【０１１７】
その結果、エッジ型ＬＥＤ２３と直下型ＬＥＤ２５とを合計した輝度は、図１７の（ｄ）に示すように、エリアＡ（ｍ＝４，ｎ＝４）において輝度４５％で照射され、エリアＡ（ｍ＝４、ｎ＝１〜３，５〜１０）において輝度２５％で照射され、その他のエリアＡ（ｍ，ｎ）において輝度９％で照射されるものとなる。
【０１１８】
この結果、エリアＡ（ｍ＝４，ｎ＝４）において輝度５０％の映像信号が入力されたときに、エリアＡ（ｍ＝４，ｎ＝４）及びその近傍の縦列がそれに追随して明るくなるようになる。
【０１１９】
ここで、エッジ型ＬＥＤ２３と直下型ＬＥＤ２５との電力の配分例について、図１８に基づいて説明する。図１８は、エッジ型ＬＥＤ２３と直下型ＬＥＤ２５との電力の配分例を示すグラフである。図１８の横軸は、アベレージピクチャーレベル（Average Picture Level:ＡＰＬ）であり、画面全体の輝度の平均つまり明るさを示すものであり、１００％に近づく程、画面全体が白に近づくことを示す。一方、図１８の縦軸は、実際のバックライトの電力量の割合（デューティ比）を規格化して示すものである。尚、個別エリアと全体エリアとについて、例えば、エッジ型ＬＥＤ２３が１０分割列に分割されている場合、そのうち例えば２分割列の個別エリアについてそれぞれデューティ比１００％点灯されていても、画面全体としてのアベレージピクチャーレベル（Average Picture Level:ＡＰＬ）は、２０％となることを示している。
【０１２０】
先ず、エッジ型ＬＥＤ２３の個別エリアの点灯制御においては、図１８において細破線で示すように、アベレージピクチャーレベル（ＡＰＬ）が０％から８０％に至るまでデューティ比１００％で点灯する。しかし、アベレージピクチャーレベル（ＡＰＬ）が８０％を超えると１００％に至るに伴ってデューティ比を１００％から８０％にまで落とす。
【０１２１】
これにより、全体画面のアベレージピクチャーレベル（ＡＰＬ）は、図１８において細実線で示すように、０％〜８０％まではデューティ比が単調増加する。そして、デューティ比８０％にて、アベレージピクチャーレベル（ＡＰＬ）が８０％となって飽和する。
【０１２２】
これに対して、直下型ＬＥＤ２５の個別エリアの点灯制御においては、 図１８において太破線で示すように、アベレージピクチャーレベル（ＡＰＬ）が４０％以上のときに点灯される。その際、アベレージピクチャーレベル（ＡＰＬ）が４０％のときにデューティ比１００％で点灯されるが、その後、アベレージピクチャーレベル（ＡＰＬ）が４０％から８０％に増大するに伴ってデューティ比が０％になるように急激に減少する。これにより、図１８において太実線で示すように、直下型ＬＥＤ２５を点灯することによるアベレージピクチャーレベル（ＡＰＬ）は、４０％〜８０％間ではデューティ比が４０％から０％に単調減少する。
【０１２３】
この結果、エッジ型ＬＥＤ２３と直下型ＬＥＤ２５との２つを合わせた点灯制御では、図１８において太一点鎖線で示すように、アベレージピクチャーレベル（ＡＰＬ）が０％〜４０％において、全体画面ではデューティ比０〜８０％に増加し、アベレージピクチャーレベル（ＡＰＬ）が４０％〜１００％においては、デューティ比８０％で一定となる制御が行われる。
【０１２４】
すなわち、本実施の形態では、画面全体を光らせる場合には、エッジ型ＬＥＤ２３を使用し、暗くなる個所では、対応するエッジ型ＬＥＤ２３を消灯して暗くする。一方、直下型ＬＥＤ２５は、全体画面のアベレージピクチャーレベル（ＡＰＬ）が４０％〜８０％で点灯制御し、アベレージピクチャーレベル（ＡＰＬ）が８０％を超えるときには点灯しな制御を行うようにしている。
【０１２５】
上述のような、エッジ型ＬＥＤ２３及び直下型ＬＥＤ２５の点灯制御を行うことによって、従来、図２１に示すように表示されていたものが、図１９にて表示されるようになり、暗い分が明瞭になり、２番目の人物の顔も明瞭になっていることが分かる。また、窓部分の明るい状態も明瞭に示すことができる。
【０１２６】
このように、本実施の形態の液晶表示装置１Ｂでは、液晶表示パネル１０に表示される映像の輝度に応じて、エッジ型ＬＥＤ２３及び直下型ＬＥＤ２５の照射光量を制御する制御部としてのローカルディミング制御部３４が設けられている。
【０１２７】
これにより、例えば、液晶表示パネル１０に表示される映像の輝度に応じて、ローカルディミング（部分駆動）として、液晶表示パネル１０に表示される映像の一画面内のコントラストを高める制御ができると共に、液晶表示パネル１０に表示される映像の相対的に明るい部分と相対的に暗い部分との両方がそれぞれ明瞭となるようにするハイダイナミックレンジイメージ（ＨＤＲ）での表示のための制御が可能となる。
【０１２８】
したがって、適正にローカルディミング及びハイダイナミックレンジイメージ（ＨＤＲ）を実現し得る液晶表示装置１Ｂを提供することができる。
【０１２９】
また、本実施の形態の液晶表示装置１Ｂでは、制御部としてのローカルディミング制御部３４が、表示パネルとしての液晶表示パネル１０に表示される映像の輝度に応じて、第１発光部としてのエッジ型ＬＥＤ２３及び第２発光部としての直下型ＬＥＤ２５の照射光量を制御する。このため、例えば、エッジ型ＬＥＤ２３を主として発光させ、ローカルディミングで高輝度が要求される液晶表示パネル１０のスポット領域に対して直下型ＬＥＤ２５を発光させることが可能である。この結果、直下型ＬＥＤ２５の光源の分布が見えるという問題がなくなる。したがって、バックライト２０Ｂの薄型化を図ることができると共に、直下型ＬＥＤ２５と導光板２２との間に拡散レンズや拡散板を省略することができるので、部品点数の減少を図り、コストダウンを図ることができる。また、全てのエッジ型ＬＥＤ２３及び直下型ＬＥＤ２５を常時点灯しておく必要が無いので、消費電力を低減することができる。
【０１３０】
また、本実施の形態の液晶表示装置１Ｂでは、エッジ型ＬＥＤ２３は、直下型ＬＥＤ２５よりも色域の広い光を発光すると共に、直下型ＬＥＤ２５は、エッジ型ＬＥＤ２３よりも視感度の高い光を発光する。
【０１３１】
これにより、エッジ型ＬＥＤ２３は、輝度差の少ない入力画像に対して主体的に発光される。このとき、エッジ型ＬＥＤ２３からは色域の広い光が発光されるので、可視光のできるだけ広い範囲の色に対して表示させることができる。
【０１３２】
一方、輝度差が大きくかつ明るい入力画像に対しては、例えば、直下型ＬＥＤ２５が補助的に発光される。このとき、直下型ＬＥＤ２５からは視感度の高い光が発光されるので、人間の目に明るく感じる波長域の光が多く出射される。したがって、液晶表示パネル１０における輝度差が大きくかつ明るい部分を効率的に明るくさせることができる。
【０１３３】
この結果、ローカルディミング（部分駆動）を適正に行って画像全体のコントラストを高めることが可能となる。
【０１３４】
また、本実施の形態の液晶表示装置１Ｂでは、ローカルディミング制御部３４は、液晶表示パネル１０に表示される映像の相対的に明るい部分と相対的に暗い部分との両方がそれぞれ明瞭となるようにエッジ型ＬＥＤ２３及び直下型ＬＥＤ２５の照射光量を制御する。
【０１３５】
これにより、確実に、ハイダイナミックレンジイメージ（ＨＤＲ）での表示が可能となる。
【０１３６】
また、本実施の形態の液晶表示装置１Ｂでは、ローカルディミング制御部３４は、液晶表示パネル１０を第１輝度よりも低い低輝度で照射させるべく複数のエッジ型ＬＥＤ２３のみを発光させる低輝度モードと、液晶表示パネル１０を第１輝度よりも高い高輝度で照射させるべく複数のエッジ型ＬＥＤ２３及び複数の直下型ＬＥＤ２５を発光させる高輝度モードとを選択する輝度レベル制御部３４ａを備えている。尚、第１輝度は、ユーザが適宜入力することができるものとなっている。
【０１３７】
これにより、ユーザは、低輝度モードと高輝度モードとを随時切り替えることによって、好みの輝度を楽しむことができる。
【０１３８】
〔実施の形態３〕
本発明のさらに他の実施の形態について図２０に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【０１３９】
本実施の形態の表示装置としての液晶表示装置１Ｃは、前記実施の形態１の液晶表示装置１Ａ及び前記実施の形態２の液晶表示装置１Ｂの構成に加えて、エッジ型ＬＥＤ２３及び直下型ＬＥＤ２５の配線方法が明確になっている点が異なっている。
【０１４０】
本実施の形態の液晶表示装置１Ｃの構成について、図２０の（ａ）（ｂ）に基づいて説明する。図２０の（ａ）は、本実施の形態における液晶表示装置１Ｃの構成を示すものであって、エッジ型ＬＥＤ２３の配線接続方法を示す側面図であり、図２０の（ｂ）は本実施の形態における液晶表示装置１Ｃの構成を示すものであって、直下型ＬＥＤ２５の配線接続方法を示す平面図である。
【０１４１】
本実施の形態の液晶表示装置１Ｃのバックライト２０Ｃでは、例えばエリアＡ（１，ｎ）等の縦１列には、図２０の（ａ）に示すように、それぞれ３個のエッジ型ＬＥＤ２３が配されており、例えばエリアＡ（１，１）等の１個のエリアには、図２０の（ｂ）に示すように、それぞれ３個の直下型ＬＥＤ２５が配されている。
【０１４２】
ここで、本実施の形態の液晶表示装置１Ｃのバックライト２０Ｃでは、エッジ型ＬＥＤ２３は４個直列に接続されたものが並列に６個接続されている。各エッジ型ＬＥＤ２３の消費電圧は３．２Ｖであり、４個では合計１２．８Ｖの消費電圧となっている。
【０１４３】
また、直下型ＬＥＤ２５は、４個の直列に接続されたものが並列に６０個接続されている。各直下型ＬＥＤ２５の消費電圧は３．２Ｖであり、４個では合計１２．８Ｖの消費電圧となっている。
【０１４４】
このように、本実施の形態の液晶表示装置１Ｃのバックライト２０Ｃでは、エリアＡ（１，ｎ）等の縦１列に配される直列接続されたエッジ型ＬＥＤ２３の個数つまりＬＥＤチップの個数と、各エリアＡ（ｍ，ｎ）に配列される直下型ＬＥＤ２５の個数つまりＬＥＤチップの個数とを同じとしている。
【０１４５】
この理由は、ＬＥＤドライバ３５において、例えば、図示しないチャンネル１〜６はエッジ型ＬＥＤ２３に対応させ、図示しないチャンネル７〜６６は直下型ＬＥＤ２５に対応させるとしたとき、チャンネル毎の電圧を一緒にするためである。
【０１４６】
これによって、ＬＥＤドライバ３５を共通化し、ドライバコストを低減することができるものとなっている。
【０１４７】
ここで、本実施の形態では、各パッケージにエッジ型ＬＥＤ２３及び直下型ＬＥＤ２５つまりつまりＬＥＤチップが１個搭載された１  ｉｎ  １のタイプのものについて説明した。これに対して、例えば、各パッケージにエッジ型ＬＥＤ２３及び直下型ＬＥＤ２５つまりＬＥＤチップが２個搭載された２  ｉｎ  １のタイプのものも存在する。
【０１４８】
したがって、例えば、エッジ型ＬＥＤ２３について１  ｉｎ  １のタイプのものを使用し、直下型ＬＥＤ２５について２  ｉｎ  １のタイプのものを使用する場合がある、
この場合には、１  ｉｎ  １のタイプのエッジ型ＬＥＤ２３について、４個のエッジ型ＬＥＤ２３が直列に接続されることにより合計１２．８Ｖの消費電圧となる。一方、２  ｉｎ  １のタイプの直下型ＬＥＤ２５について、２個の直下型ＬＥＤ２５が直列に接続されることにより合計１２．８Ｖの消費電圧となる。
【０１４９】
このように、本実施の形態の液晶表示装置１Ｃは、導光板２２の側端面２２ａの分割領域にそれぞれ配置されて互いに直列に接続されるエッジ型ＬＥＤ２３の個数つまりＬＥＤチップの個数と、導光板２２の光出射面２２ｂをマトリクス状に分割した分割領域の背面側にそれぞれ配置されて互いに直列に接続される直下型ＬＥＤ２５の個数つまりＬＥＤチップの個数とは同じである。
【０１５０】
これにより、光源ドライバとしてのＬＥＤドライバ３５を共通化し、ドライバコストを低減することができる。また、各エッジ型ＬＥＤ２３及び各直下型ＬＥＤ２５の発光ムラを防止することができる。
【０１５１】
＜付記事項＞
テレビジョン受像機２の制御ブロック（特にテレビ制御部３２およびローカルディミング制御部３４）は、集積回路（ＩＣチップ）等に形成された論理回路（ハードウェア）によって実現してもよいし、ＣＰＵ（Central Processing Unit）を用いてソフトウェアによって実現してもよい。
【０１５２】
後者の場合、テレビジョン受像機２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５３】
〔まとめ〕
本発明の態様１における表示装置（液晶表示装置１Ａ・１Ｂ・１Ｃ）は、バックライト２０Ａ・２０Ｂ・２０Ｃにて表示パネル（液晶表示パネル１０）を照射する表示装置において、上記バックライト２０Ａ・２０Ｂ・２０Ｃは、上記表示パネル（液晶表示パネル１０）の広さに対応する１枚の導光板２２の側端面２２ａから白色光を入射して上記導光板２２の出射面（光出射面２２ｂ）から出射させる複数の第１発光部（エッジ型ＬＥＤ２３）と、上記導光板２２の背面から光を入射して上記導光板２２の出射面（光出射面２２ｂ）から出射させる複数の第２発光部（直下型ＬＥＤ２５）とを備えていると共に、上記導光板２２は、等厚部２２ｃと、上記等厚部２２ｃに形成されたレンチキュラー部２２ｅとからなっていることを特徴としている。
【０１５４】
上記発明の態様によれば、バックライトは、表示パネルの広さに対応する１枚の導光板と、所謂エッジライト型の第１発光部と直下型の第２発光部とを備えている。また、第１発光部は導光板の側端面から白色光を入射して導光板の出射面から出射させる一方、第２発光部は導光板の背面から光を入射して上記導光板の出射面から出射させる。
【０１５５】
この結果、ローカルディミングを実現するに際して、導光板は表示パネルの広さに対応する１枚からなっているので、導光板には継ぎ目がない。したがって、導光板の繋ぎ目部分のムラを防止することができる。さらに、第１発光部は白色光を導光板に入射させるので、領域によって色調が大きく変化するということはない。
【０１５６】
また、本発明の態様では、導光板は、等厚部と、上記等厚部に形成されたレンチキュラー部とからなっている。
【０１５７】
この結果、直下型の第２発光部から導光板に入射した光は、レンチキュラー部による光の反射及び屈折により、第２発光部の直上に出射される光が減少し、かつ横方向に広がって出射される光が多くなる。このため、第２発光部の直上において導光板からの出射光による光強度ムラを低減することができる。
【０１５８】
また、所謂エッジライト型の第１発光部から導光板に入射した光は、導光板内における光の全反射及び光路変換部材による光路変更と、レンチキュラー部による光の屈折とにより、横方向への広がりが小さくなる。このため、所謂エッジライト型の第１発光部によってもローカルディミングを実現すること可能となる。この結果、所謂エッジライト型の第１発光部と直下型の第２発光部との協働により、最適なローカルディミングを実現することができる。
【０１５９】
したがって、色調の変化を伴わずにローカルディミングを適切に実現すると共に、出射光の光強度ムラを低減し得る表示装置及を提供することができる。
【０１６０】
本発明の態様２における表示装置（液晶表示装置１Ａ・１Ｂ・１Ｃ）は、態様１における表示装置において、前記レンチキュラー部２２ｅは、前記導光板２２の等厚部２２ｃの表面において、断面半円、断面半多角形又は断面半楕円からなる柱状物体を連続して横並べに配設してなっている。
【０１６１】
これにより、直下型の第２発光部から導光板に垂直に入射した光は、断面半円、断面半多角形又は断面半楕円のレンチキュラー部による光の内部反射によって、出射面からあまり出射されない。また、直下型の第２発光部から導光板に斜めに入射した光は、断面半円、断面半多角形又は断面半楕円のレンチキュラー部による光の屈折によって、出射面から横方向に広がるように出射される。この結果、第２発光部の直上において導光板から出射される出射光による光強度ムラを低減することができる。
【０１６２】
また、所謂エッジライト型の第１発光部から導光板に入射した光は、導光板内での光の全反射及び光路変換部材による光路変更と、断面半円、断面半多角形又は断面半楕円のレンチキュラー部によるに光の屈折とにより、横方向への広がりが小さくなる。このため、所謂エッジライト型の第１発光部によってもローカルディミングを実現すること可能となる。
【０１６３】
本発明の態様３における表示装置（液晶表示装置１Ａ・１Ｂ・１Ｃ）は、態様１又は２における表示装置において、前記表示パネル（液晶表示パネル１０）に表示される映像の輝度に応じて、前記第１発光部（エッジ型ＬＥＤ２３）及び第２発光部（直下型ＬＥＤ２５）の照射光量を制御する制御部（ローカルディミング制御部３４）が設けられている。
【０１６４】
これにより、例えば、表示パネルに表示される映像の輝度に応じて、ローカルディミング（部分駆動）として、表示パネルに表示される映像の一画面内のコントラストを高める制御ができると共に、表示パネルに表示される映像の相対的に明るい部分と相対的に暗い部分との両方がそれぞれ明瞭となるようにするハイダイナミックレンジイメージ（ＨＤＲ）での表示のための制御が可能となる。
【０１６５】
したがって、適正にローカルディミング及びハイダイナミックレンジイメージ（ＨＤＲ）を実現し得る表示装置を提供することができる。
【０１６６】
本発明の態様４における表示装置（液晶表示装置１Ｂ）は、上記態様１、２又は３において、前記第１発光部（エッジ型ＬＥＤ２３）は、前記第２発光部（直下型ＬＥＤ２５）よりも色域の広い光を発光すると共に、上記第２発光部（直下型ＬＥＤ２５）は、上記第１発光部（エッジ型ＬＥＤ２３）よりも視感度の高い光を発光することが好ましい。
【０１６７】
これにより、所謂エッジ型ライトである第１発光部は、例えば、輝度差の少ない入力画像に対して主体的に発光される。このとき、第１発光部からは色域の広い光が発光されるので、可視光のできるだけ広い範囲の色に対して表示させることができる。
【０１６８】
一方、輝度差が大きくかつ明るい入力画像に対しては、例えば、第２発光部が補助的に発光される。このとき、第２発光部からは視感度の高い光が発光されるので、人間の目に明るく感じる波長域の光が多く出射される。したがって、表示パネルにおける輝度差が大きくかつ明るい部分を効率的に明るくさせることができる。
【０１６９】
この結果、ローカルディミング（部分駆動）を適正に行って画像全体のコントラストを高めることが可能となる。
【０１７０】
また、表示パネルに表示される映像の相対的に明るい部分と相対的に暗い部分との両方がそれぞれ明瞭となるようにするハイダイナミックレンジイメージ（ＨＤＲ）での表示も可能となる。
【０１７１】
本発明の態様５における表示装置（液晶表示装置１Ｂ）は、上記態様３において、前記制御部（ローカルディミング制御部３４）は、表示パネル（液晶表示パネル１０）に表示される映像の相対的に明るい部分と相対的に暗い部分との両方がそれぞれ明瞭となるように前記第１発光部（エッジ型ＬＥＤ２３）及び第２発光部（直下型ＬＥＤ２５）の照射光量を制御する。
【０１７２】
これにより、確実に、ハイダイナミックレンジイメージ（ＨＤＲ）での表示が可能となる。
【０１７３】
本発明の態様６における表示装置（液晶表示装置１Ｂ）は、上記態様３において、前記制御部（ローカルディミング制御部３４）は、前記表示パネル（液晶表示パネル１０）を第１輝度よりも低い低輝度で照射させるべく複数の第１発光部（エッジ型ＬＥＤ２３）のみを発光させる低輝度モードと、上記表示パネル（液晶表示パネル１０）を第１輝度よりも高い高輝度で照射させるべく複数の第１発光部（エッジ型ＬＥＤ２３）及び複数の第２発光部（直下型ＬＥＤ２５）を発光させる高輝度モードとを選択する輝度レベル制御部３４ａを備えていることが好ましい。
【０１７４】
これにより、ユーザは、低輝度モードと高輝度モードとを随時切り替えることによって、好みの輝度を楽しむことができる。
【０１７５】
本発明の態様７における表示装置（液晶表示装置１Ｃ）は、上記態様１〜４のいずれか１において、前記導光板２２の側端面２２ａの分割領域にそれぞれ配置されて互いに直列に接続される第１発光部（エッジ型ＬＥＤ２３）であるＬＥＤチップの個数と、上記導光板２２の出射面（光出射面２２ｂ）をマトリクス状に分割した分割領域の背面側にそれぞれ配置されて互いに直列に接続される第２発光部（直下型ＬＥＤ２５）であるＬＥＤチップの個数とは同じであることが好ましい。
【０１７６】
これにより、光源ドライバにおいて、例えば、チャンネル１〜６を複数個の第１発光部に対応させ、チャンネル７〜６６を複数個の第２発光部に対応させるとしたとき、チャンネル毎の電圧を一緒にすることができる。この結果、光源ドライバを共通化し、ドライバコストを低減することができる。また、各第１発光部及び各第２発光部の発光ムラを防止することができる。
【０１７７】
本発明の態様８におけるテレビジョン受像機２は、上記態様１〜７のいずれか１における表示装置（液晶表示装置１Ａ〜１Ｃ）を備えたテレビジョン受像機であって、外部から受信された入力映像に応じて、第１発光部（エッジ型ＬＥＤ２３）及び第２発光部（直下型ＬＥＤ２５）の照射光量を制御することを特徴としている。
【０１７８】
上記の発明の態様によれば、テレビジョン受像機が外部から入力映像を受信したときに、外部から受信された入力映像に応じて、テレビジョン受像機は、第１発光部及び第２発光部の照射光量を制御することができる。
【０１７９】
したがって、色調の変化を伴わずにローカルディミングを適切に実現すると共に、出射光の光強度ムラを低減し得る表示装置を備えたテレビジョン受像機を提供することができる。
【符号の説明】
【０１８０】
１Ａ・１Ｂ・１Ｃ      液晶表示装置（表示装置）
２                    テレビジョン受像機
１０                    液晶表示パネル（表示パネル）
２０Ａ・２０Ｂ・２０Ｃ  バックライト
２１Ａ・２１Ｂ          背面筐体
２２                    導光板
２２ａ                  側端面
２２ｂ                  光出射面（出射面）
２３                    エッジ型ＬＥＤ（第１発光部）
２４                    ＬＥＤ基板
２５                    直下型ＬＥＤ（第２発光部）
３０                    制御機構
３１                    映像信号発生部
３２                    テレビ制御部
３３                    映像表示タイミングコントローラ
３４                    ローカルディミング制御部（制御部）
３４ａ                  輝度レベル制御部
３５                    ＬＥＤドライバ（光源ドライバ）
【図１】
2018036334.tif 000003
【図２】
2018036334.tif 000004
【図３】
2018036334.tif 000005
【図４】
2018036334.tif 000006
【図５】
2018036334.tif 000007
【図６】
2018036334.tif 000008
【図７】
2018036334.tif 000009
【図８】
2018036334.tif 000010
【図９】
2018036334.tif 000011
【図１０】
2018036334.tif 000012
【図１１】
2018036334.tif 000013
【図１２】
2018036334.tif 000014
【図１３】
2018036334.tif 000015
【図１４】
2018036334.tif 000016
【図１５】
2018036334.tif 000017
【図１６】
2018036334.tif 000018
【図１７】
2018036334.tif 000019
【図１８】
2018036334.tif 000020
【図１９】
2018036334.tif 000021
【図２０】
2018036334.tif 000022
【図２１】
2018036334.tif 000023